(57)【要約】【課題】レーザ光を走査光として用いる場合に走査光が走査されず光路が固定されたときに瞬時に光学システムを光学的な手段により保護し、人体にダメージを与えない画像表示装置を提供する。【解決手段】本発明の画像表示装置１０は、レーザ光１１を出射するレーザ光源１２と、レーザ光１１を走査する走査部１３と、走査部１３により走査光１１ａが照射されるスクリーン１４と、走査部１３とスクリーン１４との間に配置された熱レンズフィルタ部１５と、を備えた構成からなる。【選択図】図１
2010107545.tif 000002
【特許請求の範囲】
【請求項１】
レーザ光を出射するレーザ光源と、
前記レーザ光を走査する走査部と、
前記走査部が停止し、前記レーザ光の光路が固定されたとき、
前記レーザ光を拡散させる拡散手段を備えた画像表示装置。
【請求項２】
前記走査部により走査光が照射される照射面を備え、
前記拡散手段は、
前記照射面と前記走査部との間に配置された、
熱レンズフィルタ部であることを特徴とする請求項１に記載の画像表示装置。
【請求項３】
前記熱レンズフィルタ部は、正の熱レンズフィルタと負の熱レンズフィルタとの1組の熱レンズフィルタからなることを特徴とする請求項２に記載の画像表示装置。
【請求項４】
前記熱レンズフィルタ部は、前記１組の熱レンズフィルタを複数組含むことを特徴とする請求項３に記載の画像表示装置。
【請求項５】
前記走査部により走査光が照射される照射面を備え、
前記拡散手段は、
前記走査部と前記スクリーンとの間に配置された反射ミラーであり、
前記反射ミラーは、前記走査光が反射するミラー面に反射膜が形成され、前記反射膜は、その一部に前記レーザ光が連続して所定の光量を超えて照射されるとレーザ光を散乱させることを特徴とする請求項１に記載の画像表示装置。
【請求項６】
前記反射ミラーは、前記走査光が反射するミラー面に熱レンズ層が形成されていることを特徴とする請求項５に記載の画像表示装置。
【請求項７】
前記熱レンズフィルタ部または前記反射ミラーの前に、前記レーザ光を集光する集光レンズをさらに備えた請求項２から６のいずれか１項に記載の画像表示装置。
【請求項８】
前記熱レンズフィルタ部または前記反射ミラーの後に、前記熱レンズフィルタ部または前記反射ミラーから拡がって出射される前記レーザ光をコリメートするコリメータレンズをさらに備えた請求項７に記載の画像表示装置。
【請求項９】
前記走査部により走査光が照射される照射面と、
前記照射面と、前記走査部との間に、
フォトリフラクティブフィルタ部とを備えることを特徴とする
請求項１に記載の画像表示装置。
【請求項１０】
前記走査部は、スキャンミラーからなることを特徴とする請求項１から９のいずれか１項に記載の画像表示装置。
【請求項１１】
前記走査部は、ポリゴンミラーを含むことを特徴とする請求項１から９のいずれか１項に記載の画像表示装置。
【請求項１２】
前記レーザ光源は、少なくとも赤色レーザ光源、緑色レーザ光源および青色レーザ光源からなるＲＧＢ光源であることを特徴とする請求項１から１１のいずれか１項に記載の画像表示装置。
【請求項１３】
前記レーザ光源は、さらに紫外レーザ光を出射する紫外レーザ光源または赤外レーザ光を出射する赤外レーザ光源を少なくとも備え、前記熱レンズフィルタ部または前記反射ミラーは、前記紫外光または前記赤外光の一部を吸収する材料からなることを特徴とする請求項１２に記載の画像表示装置。
【請求項１４】
前記走査部動作時に、前記熱レンズフィルタ部、または、前記フォトリフラクティブフィルタ部を通過した前記走査光は指向性を失わずスクリーンに照射され、
且つ、
前記走査部動作停止時に前記熱レンズフィルタ部、または、前記フォトリフラクティブフィルタ部を通過した前記走査光は指向性を失うことを特徴とする請求項２から１３のいずれか１項に記載の画像表示装置。
【発明の詳細な説明】
【技術分野】
【０００１】
本発明は、光源としてレーザ光を使用して高輝度の表示を実現する画像表示装置において、眼や装置の安全性に配慮した画像表示装置に関する。
【背景技術】
【０００２】
近年、光源としてレーザ光を使用する画像表示装置は、レーザ光の単色性と高輝度性を活かした、色再現範囲の広い高輝度の表示ができる画像表示装置として注目されている。
【０００３】
しかしながら、このような優れた特長を持つ画像表示装置がレーザ光を走査して画像表示を行っている場合に、例えばレーザ光を走査する走査部が停止し、レーザ光が固定されてしまうとスクリーンが焼けて損傷する、あるいはスクリーンからの強い反射光の一部が眼に入って網膜を損傷する可能性があるなどの問題が生じる。また、レーザ光の走査が停止しなくても、レーザ光が駆動回路からのノイズなどの影響により短時間に高出力のパルス発振を行った場合にも同様の問題が生じる。
【０００４】
このような問題を解決するために、レーザ光を投影してスクリーンに走査する投影表示装置においてレーザ光を発光する発光器とスクリーンとの間に異物を検出したときに、発光器の発光を停止する、または走査光の投射を機械的に停止する機構が取り付けられている例がある（例えば、特許文献１参照）。各種のセンサを備え、異物を検出したときに電気的にまたは機械的に発光や走査光の投射を停止するようにして、人体にダメージを与えることを防止している。
【０００５】
また、レーザ光走査型リアプロジェクション装置においてスクリーン背面に空乏領域を設けて、その周囲４箇所に圧力センサを備え、この空乏領域の内圧の変動によりレーザ光などにより生じたスクリーンの破損などを検出することが提案されている（例えば、特許文献２参照）。このような構成により、スクリーンにおいて異常を検知したときには、レーザ光源やＡＯＭ素子などの変調器を電気的に二重に遮断して眼や装置を安全に保護している。
【０００６】
また、レーザプリンタなどの光ビーム走査装置において画像を形成しないときに光ビームを偏向する偏向器の回転数が減速または停止することを利用して、その空気圧の変化により機械的に光ビームの光路を遮断するまたは開放することが提案されている（例えば、特許文献３参照）。このことにより、画像を形成しないときの微弱な光ビームが感光体の露光位置に照射されるのを防ぎ、感光体の劣化を防止して感光体を超寿命化しようとしている。
【特許文献１】特開２０００−１９４３０２号公報
【特許文献２】特開２００２−３００４９７号公報
【特許文献３】特開２００３−２９１８５号公報
【発明の開示】
【発明が解決しようとする課題】
【０００７】
しかしながら、上記で説明した従来の技術においては、レーザを走査させる走査部が停止したときに電気的あるいは機械的に光学システムを保護する機構が働くものの瞬時に保護することができず、光学システムの一部を損傷するまたは人体にダメージを与えるなどの課題があった。
【０００８】
本発明は上記従来の課題を解決するものであり、レーザ光を走査光として用いる場合に走査光が走査されず光路が固定されたときに瞬時に光学システムを光学的な手段により保護し、人体にダメージを与えない画像表示装置を提供することを目的とする。
【課題を解決するための手段】
【０００９】
上記目的を達成するために、本発明の画像表示装置は、レーザ光を出射するレーザ光源と、レーザ光を走査する走査部と、走査部が停止し、レーザ光の光路が固定されたとき、レーザ光を拡散させる拡散手段を備えた構成からなる。
【００１０】
このような構成とすることにより、レーザ光の光路が固定されたとしてもスクリーン上の１点にレーザ光が集中することがないのでスクリーンなどを損傷することがなく、光学システムや人体を光学的に瞬時に保護することができる。
【００１１】
また、本発明の画像表示装置は、更に、走査部により走査光が照射される照射面を備え、拡散手段は、照射面と走査部との間に配置された、熱レンズフィルタ部であるという構成からなる。
【００１２】
このような構成とすることにより、レーザ光を走査光として用いる場合に走査光の光路が何らかの原因で固定されても熱レンズフィルタ部のレーザ光を照射している部分の屈折率が熱レンズ効果により変化するので、レーザ光は熱レンズフィルタ部により発散光となり散乱する。このことにより、レーザ光の光路が固定されたとしてもスクリーン上の１点にレーザ光が集中することがないのでスクリーンなどを損傷することがなく、光学システムを光学的に瞬時に保護することができる。また、同様にレーザ光の光路が固定されてもレーザ光は散乱されるので、レーザ光が人の眼など人体にダメージが与えられることを光学的に瞬時に回避することができる。しかも、レーザ光が走査光として正常に動作するときには、走査光は熱レンズフィルタ部を順次走査して透過していくので熱レンズフィルタ部における温度分布・屈折率分布が小さく、熱レンズ効果が小さくなるため、スクリーン上に画像を表示することができる。
【００１３】
また、熱レンズフィルタ部は、正の熱レンズフィルタと負の熱レンズフィルタとの1組の熱レンズフィルタからなる構成としてもよい。
【００１４】
このような構成とすることにより、レーザ光の走査が停止しレーザ光の光路が固定されたときに、熱レンズフィルタ部においてレーザ光を発散させる効果の大きい熱レンズフィルタを使用することができる。このことにより、光学システムや人体をさらに安全に保護することができる。
【００１５】
また、熱レンズフィルタ部は、正の熱レンズフィルタと負の熱レンズフィルタとの１組の熱レンズフィルタを複数組含む構成としてもよい。
【００１６】
このような構成とすることにより、レーザ光が走査光として正常に動作するときの画像の鮮明さは低下させずに、レーザ光の走査が停止しレーザ光の光路が固定されたときに、熱レンズフィルタ部においてレーザ光を発散させる効果の大きい熱レンズフィルタを使用することができる。このことにより、光学システムや人体をさらに安全に保護することができる。
【００１７】
また、本発明の画像表示装置は、レーザ光を出射するレーザ光源と、レーザ光を走査する走査部と、走査部が停止し、レーザ光の光路が固定されたとき、レーザ光を拡散させる拡散手段と、走査部により走査光が照射される照射面を備え、拡散手段は、走査部と前記照射面との間に配置された反射ミラーと、反射ミラーのミラー面に形成された反射膜とから構成される。
【００１８】
さらに、反射ミラーは、走査光が反射するミラー面に反射膜が形成され、反射膜は、その一部にレーザ光が連続して所定の光量を超えて照射されると破壊する構成としてもよい。
【００１９】
また、反射ミラーは、走査光が反射するミラー面に熱レンズ層が形成されている構成としてもよい。
【００２０】
このような構成とすることにより、レーザ光を走査光として用いる場合に走査光の光路が何らかの原因で固定されても反射ミラーのレーザ光を照射している部分が破壊する、あるいはその部分の屈折率が熱レンズ効果により変化するので、レーザ光は反射ミラーにより発散光となり散乱する。このことにより、レーザ光の光路が固定されたとしてもスクリーン上の１点にレーザ光が集中することがないのでスクリーンなどを損傷することがなく、光学システムを光学的に瞬時に保護することができる。また、同様にレーザ光の光路が固定されてもレーザ光は散乱されるので、人の眼など人体にダメージが与えられることを光学的に瞬時に回避することができる。しかも、レーザ光が走査光として正常に動作するときには、走査光は反射ミラーを順次走査して反射していくので反射ミラーで発生する熱レンズ効果が小さく、スクリーン上に鮮明な画像を表示することができる。
【００２１】
また、熱レンズフィルタ部または反射ミラーの前に、レーザ光を集光する集光レンズをさらに備えた構成としてもよい。
【００２２】
このような構成とすることにより、低パワーのレーザ画像表示装置であっても、熱レンズ効果を増大させ卯ことが可能となり、レーザ光の発散効果を増大することができるので、光学システムや人体をさらに安全に保護することができる。
【００２３】
また、熱レンズフィルタ部または反射ミラーの後に、熱レンズフィルタ部または反射ミラーから拡がって出射されるレーザ光をコリメートするコリメータレンズをさらに備えた構成としてもよい。
【００２４】
このような構成とすることにより、熱レンズフィルタ部または反射ミラーからのレーザ光をさらに平行光に近くしてスクリーンなどに画像表示をさらに高輝度に行うことができる。
【００２５】
また、走査部は、スキャンミラーからなる構成としてもよく、ポリゴンミラーを含む構成としてもよい。
【００２６】
このような構成とすることにより、レーザ光を効率よく走査する画像表示装置を実現することができる。
【００２７】
また、レーザ光源は、少なくとも赤色レーザ光源、緑色レーザ光源および青色レーザ光源からなるＲＧＢ光源である構成としてもよい。
【００２８】
このような構成とすることにより、色再現範囲が広く高輝度で低消費電力の画像表示装置を実現することができる。さらに、レーザ光を平行光にして走査すると焦点制御の不要な焦点フリーのプロジェクタとなる画像表示装置を実現することができる。
【００２９】
また、レーザ光源は、さらに紫外レーザ光を出射する紫外レーザ光源または赤外レーザ光を出射する赤外レーザ光源を少なくとも備え、熱レンズフィルタ部または反射ミラーは、紫外光または赤外光を吸収しやすい材料からなる構成としてもよい。更に、ＲＧＢのレーザ光の吸収率が低い熱レンズフィルタを用いることが望ましい。
【００３０】
このような構成とすることにより、ＲＧＢ光はほとんど損失せず高輝度の画像表示を行うことができ、レーザ光の走査が停止したときには紫外光または赤外光を吸収して熱レンズ効果を瞬時に生じさせて、紫外光または赤外光およびＲＧＢ光を瞬時に発散させて光学システムや人体をさらに安全に保護することができる画像表示装置を実現することができる。さらに、ＲＧＢ光からなるレーザ光を平行光にして走査すると焦点制御の不要な焦点フリーのプロジェクタとなる画像表示装置を実現することができる。このことにより、ＲＧＢ光の光利用効率を向上させることができるので低消費電力の画像表示装置を実現することができる。
【発明の効果】
【００３１】
本発明の画像表示装置によれば、レーザ光を走査光として用いる場合に走査光の光路が何らかの原因で固定されても熱レンズフィルタ部のレーザ光を照射している部分の屈折率が熱レンズ効果により変化するので、レーザ光は熱レンズフィルタ部により発散光となり散乱する。このことにより、レーザ光の光路が固定されたとしてもスクリーン上の１点にレーザ光が集中することがないのでスクリーンなどを損傷することがなく、光学システムや人体を光学的に瞬時に保護することができる。
【発明を実施するための最良の形態】
【００３２】
以下、本発明の実施の形態について、図面を参照しながら説明する。なお、同じ要素には同じ符号を付しており、説明を省略する場合もある。また、図面は、理解しやすくするためにそれぞれの構成要素を主体に模式的に示しており、形状等については正確な表示ではない。
【００３３】
（実施の形態１）
図１は本発明の実施の形態１にかかる画像表示装置の概略構成を示す図で、（ａ）はレーザ光を走査して画像を表示しているときの動作を示す構成図、（ｂ）はレーザ光の走査が停止したときの動作を示す構成図である。
【００３４】
図１（ａ）に示すように本実施の形態１の画像表示装置１０は、レーザ光１１を出射するレーザ光源１２と、レーザ光１１を走査する走査部１３と、走査部１３により走査光１１ａが照射されるスクリーン１４と、走査部１３とスクリーン１４との間に配置された熱レンズフィルタ部１５と、を備えた構成からなる。
【００３５】
ここで、レーザ光源１２および走査部１３は、配線１６ａを介して接続された制御部１６により制御されている。このことにより、レーザ光１１は走査部１３により走査光１１ａとして熱レンズフィルタ部１５を透過してスクリーン１４上の矢印１４ａの方向に沿って走査されている。なお、走査部１３としては、例えばスキャンミラーなどを用いて水平方向および垂直方向に走査光１１ａを効率よく走査している。
【００３６】
また、熱レンズフィルタ部１５は、例えば石英からなる板状のシートを熱レンズフィルタ１５ａとして使用している。この熱レンズフィルタ１５ａはレーザ光１１の一部を吸収して、その熱により屈折率が変化する熱レンズ効果を発動するものであるが、図１（ａ）の画像表示装置１０においては、走査光１１ａが熱レンズフィルタ１５ａの特定の位置に留まることなく走査されているので、走査光１１ａがごくわずかに吸収されるものの熱レンズ効果を引き起こすほどの温度分布・屈折率分布の発動には遠く及ばない。
【００３７】
しかしながら、図１（ｂ）に示すように画像表示装置１０の走査部１３が何らかの原因により停止して、レーザ光１１ｂが熱レンズフィルタ１５ａの特定の位置１５ｂに留まっている場合には、熱レンズフィルタ１５ａは特定の位置１５ｂでレーザ光１１ｂを吸収し続ける。したがって、特定の位置１５ｂではレーザ光１１ｂを吸収した熱により熱レンズ効果が発動して屈折率が変化する結果、レーザ光１１ｂは散乱光１１ｃとして拡がってスクリーン１４の特定の領域１４ｂに照射される。
【００３８】
このような構成とすることにより、レーザ光１１を走査光１１ａとして用いる場合に走査光１１ａの光路が何らかの原因で固定されても熱レンズフィルタ部１５のレーザ光１１ｂを照射している部分の屈折率が熱レンズ効果により変化するので、レーザ光１１ｂは熱レンズフィルタ部１５により発散光となり散乱する。このことにより、レーザ光１１ｂの光路が固定されたとしてもスクリーン１４上の１点にレーザ光が集中することがないのでスクリーンなどを損傷することがなく、光学システムを光学的に瞬時に保護することができる。すなわち、電気回路で用いられるヒューズに過電流が流れると瞬時に溶断するように熱レンズフィルタ部１５の特定の位置１５ｂにレーザ光１１ｂが集中すると、そのレーザ光１１ｂの一部を吸収して発熱し、その結果として熱レンズ効果が発動しレーザ光１１ｂは散乱光１１ｃとしてスクリーン１４の特定の領域１４ｂに発散して到達する。このことにより、スクリーン１４も１点にレーザ光が集中することがないので損傷を受けることがなく光学システムが保護される。また、熱レンズフィルタ部１５についても、レーザ走査が停止した場合に屈折率変化が発生する程度の吸収があればよく、レーザ走査が停止しても熱レンズフィルタ部１５が損傷することなく再利用可能なように設計することが容易である。
【００３９】
低出力のレーザ画像表示装置や、熱レンズフィルタ部１５の吸収率が低い場合は熱レンズフィルタ部１５の厚みを増やし、吸収率が高い場合は、厚みを減らすことで、熱レンズ効果の程度を調節することが可能となる。
【００４０】
これにより、レーザ光１１が走査光１１ａとして正常に動作する場合の表示画像の鮮明さを維持し、レーザ光１１ｂの光路が固定されても、人の眼に入るなど人体にダメージが与えられることを光学的に瞬時に回避するとともに、熱レンズフィルタ部１５が破壊されることのない画像表示装置とすることが可能となる。
【００４１】
図２（ａ）および図３（ａ）は、本発明の実施の形態１にかかる画像表示装置１０の光学構成の模式図、図２（ｂ）および図３（ｂ）は熱レンズフィルタ１５ａの屈折率の分布を示す図である。
【００４２】
図２（ａ）に示すように走査光１１ａは、走査部１３により熱レンズフィルタ１５ａおよびスクリーン１４に対して矢印１４ｃの方向に走査される。このときに、２Ｂ−２Ｂ線に沿った方向での熱レンズフィルタ１５ａの長さＬでの屈折率は、図２（ｂ）に示すように熱レンズフィルタ１５ａを構成する材料がもつ一定の屈折率を示している。
【００４３】
ところが、図３（ａ）に示すように走査部１３が停止し、レーザ光１１ｂが熱レンズフィルタ１５ａの特定の位置１５ｂに留まっている場合には、位置１５ｂでレーザ光１１ｂが連続して吸収されることにより発熱し、熱レンズフィルタ１５ａの位置１５ｂにおいて熱レンズ効果が発動する。そして、３Ｂ−３Ｂ線に沿った方向での熱レンズフィルタ１５ａの長さＬでの屈折率は、図３（ｂ）に示すように長さＬの中央の位置１５ｂにおいて、例えば屈折率が周囲に比べて少し低くなってしまう。この位置１５ｂにおいて屈折率が低下することにより、レーザ光１１ｂは屈折率の高い位置１５ｂの周囲に逃げていくので図３（ａ）に示すように散乱光１１ｃとしてスクリーン１４の特定の領域１４ｂに発散して到達する。その結果、レーザ光１１ｂは直進してスクリーン１４の特定の位置１４ｄに連続して照射されずに拡大された特定の領域１４ｂに拡がって照射されるので、スクリーンの位置１４ｄに該当する部分が損傷を受けずに済むことができる。
【００４４】
このように、温度が上がると図３（ｂ）に示すように屈折率が低下する材料としては、例えば弗化カルシウム（ＣａＦ２）、塩化カリウム（ＫＣｌ）、臭化カリウム（ＫＢｒ）、塩化ナトリウム（ＮａＣｌ）および弗化バリウム（ＢａＦ２）などが挙げられる。このような材料からなる熱レンズフィルタは、負の熱レンズフィルタとして用いられる。
【００４５】
ここでは、温度が上がると屈折率が低下する材料を熱レンズフィルタに用いたが、温度が上がると屈折率が増加する材料を熱レンズフィルタに用いた場合も、熱レンズフィルタによって収束効果を受けて、集光した後に発散するため、同様の効果を発揮する。
【００４６】
温度が上がると屈折率が増加して、光を収束する熱レンズ効果をもつ材料としては、例えば石英（ＳｉＯ２）、セレン化亜鉛（ＺｎＳｅ）、硫化亜鉛（ＺｎＳ）、ガリウム砒素（ＧａＡｓ）およびゲルマニウム（Ｇｅ）を用いることができる。
【００４７】
図４は、本発明の実施の形態１にかかる他の画像表示装置２０の概略構成を示す図である。この画像表示装置２０は図１（ａ）の画像表示装置１０と異なり、走査部１３にポリゴンミラー２１と１次元方向にレーザ光を走査するスキャンミラー２２とを含んでいる。
【００４８】
すなわち、レーザ光源１２から出射されたレーザ光１１は、ポリゴンミラー２１により矢印１４ａと同じ水平方向に走査され、そののちにスキャンミラー２２により垂直方向に走査されて走査光１１ａとしてスクリーン１４に到達する。このときに走査部１３とスクリーン１４との間には、熱レンズフィルタ部１５を構成する熱レンズフィルタ１５ａが図１（ａ）の画像表示装置１０と同様に配置されている。したがって、走査部１３が停止したときには、熱レンズフィルタ１５ａの熱レンズ効果によりレーザ光１１は熱レンズフィルタ１５ａにより発散光となり拡がってスクリーン１４に照射される。
【００４９】
このことにより、レーザ光１１の光路が固定されたとしてもスクリーン１４上の１点にレーザ光１１が集中することがないのでスクリーン１４などを損傷することがなく、光学システムを光学的に瞬時に保護することができる。また、同様にレーザ光１１および、その反射光の一部が人の眼に入るなど人体にダメージが与えられることを光学的に瞬時に回避することができる。しかも、レーザ光１１が走査光１１ａとして正常に動作するときには、走査光１１ａは熱レンズフィルタ１５ａを順次走査して透過していくので熱レンズフィルタ１５ａによる熱レンズ効果が小さく、スクリーン１４上に画像を表示することができる。
【００５０】
ここでは、スクリーン１４面上でレーザ光１１を走査し、画像を表示する画像表示装置について示した。しかし、本発明はレーザ光１１を直接、人の目の網膜に照射し、網膜上でレーザ光１１を走査し、画像を認識させる画像表示装置の場合も、ここで示したのと同様の効果を発揮する。
【００５１】
また、網膜上でレーザを走査する画像表示装置の場合は、特に、レーザ光が固定された場合の網膜へのダメージが懸念されるため、本発明の必要性はより高くなる。
【００５２】
また、本発明は、光ビーム走査装置を用いた、レーザプリンタ、ディジタル複写機、ファクシミリなどに用いた場合、感光体の光疲労による感光特性の劣化を防止することが可能となる。
【００５３】
（実施の形態２）
図５は本発明の実施の形態２にかかる画像表示装置３０の概略構成を示す図である。図５に示す画像表示装置３０は、実施の形態１の画像表示装置１０と異なるところは、熱レンズフィルタ部が正の熱レンズフィルタと負の熱レンズフィルタとの１組の熱レンズフィルタにより構成されているところである。
【００５４】
すなわち、本実施の形態２の画像表示装置３０は、レーザ光１１を出射するレーザ光源１２と、レーザ光１１を走査する走査部１３と、走査部１３により走査光１１ａが照射されるスクリーン１４と、走査部１３とスクリーン１４との間に配置された熱レンズフィルタ部３１と、を備えた構成からなる。そして、熱レンズフィルタ部３１は、正の熱レンズフィルタ３１ａと負の熱レンズフィルタ３１ｂとの１組の熱レンズフィルタから構成されている。なお、走査部１３は、実施の形態１と同様に、例えば垂直方向と水平方向に走査をすることができるスキャンミラーなどを使用している。
【００５５】
図６は、熱レンズフィルタ３１ａ、３１ｂでの長さＬに対する温度や屈折率の分布を表す図で、（ａ）は、温度の分布を表す図、（ｂ）は正の熱レンズフィルタ３１ａでの屈折率の分布を表す図、（ｃ）は負の熱レンズフィルタ３１ｂでの屈折率の分布を表す図である。
【００５６】
図５の画像表示装置３０の走査部１３が停止し、レーザ光１１の光路が正の熱レンズフィルタ３１ａおよび負の熱レンズフィルタ３１ｂの特定の位置３２ａ、３２ｂに固定されると、熱レンズフィルタ３１ａ、３１ｂの長さＬに対する温度は図６（ａ）に示すように分布している。ここで、縦軸は任意単位としている。
【００５７】
熱レンズフィルタ３１ａ、３１ｂにおいてレーザ光１１の光路が固定された位置３２ａ、３２ｂで光の吸収が最大となるので、この吸収による熱の発生によりここでの温度が最大となっている。そして、この熱は位置３２ａ、３２ｂの周辺に伝わるために周辺にかけて図６（ａ）に示す温度分布となっている。
【００５８】
これに伴って図６（ａ）の温度の分布に対応して、正の熱レンズフィルタ３１ａおよび負の熱レンズフィルタ３１ｂの屈折率は、それぞれ図６（ｂ）および図６（ｃ）に示すようになっている。すなわち、正の熱レンズフィルタ３１ａでは、温度が最大になる位置３２ａにおいて、屈折率が正の方向に変化して最大となっている。一方、負の熱レンズフィルタ３１ｂでは、温度が最大になる位置３２ｂにおいて、屈折率が負の方向に変化して最小となっている。
【００５９】
上述したように熱レンズフィルタ３１ａ、３１ｂの屈折率が変化するので、位置３２ａで光路が固定されたレーザ光１１は、正の熱レンズフィルタ３１ａの屈折率の分布により少し絞られたのちに発散光となって負の熱レンズフィルタ３１ｂの位置３２ｂを中心にして照射される。そして、位置３２ｂに照射されている比較的強度の強いレーザ光（図示せず）は、負の熱レンズフィルタ３１ｂの屈折率の分布によりさらに拡げられてスクリーン１４の位置３２を中心にして拡がった領域（図示せず）に照射される。したがって、レーザ光１１が位置３２ａ、３２ｂに固定されたときには、スクリーン１４上の１点、例えば位置３２にレーザ光１１が集中することがないのでスクリーン１４などを損傷することがなく、光学システムを光学的に瞬時に保護することができる。また、同様にレーザ光１１および、その反射光の一部が人の眼に入るなど人体にダメージが与えられることを光学的に瞬時に回避することができる。
【００６０】
また、図５の画像表示装置３０においては１組の熱レンズフィルタ３１ａ、３１ｂを使用するので、熱レンズフィルタ部３１の熱レンズ効果を大きくしてレーザ光１１を固定したときの光学システムの損傷や人体へのダメージをさらに効果的に回避することができる。
【００６１】
ところで、例えば図１の画像表示装置１０で示すように１枚の熱レンズフィルタ１５ａを用いて熱レンズ効果をさらに大きくして使用すると、レーザ光を走査して画像を表示しているときの光学的な動作に劣化が起こる可能性がある。しかしながら、本実施の形態２で示す画像表示装置３０のように１組の熱レンズフィルタ３１ａ、３１ｂを用いるとこのような光学的な動作に劣化が生じることを防止することができる。
【００６２】
図７は、走査光１１ａが１組の熱レンズフィルタ３１ａ、３１ｂを通過するときの波面３３の変化を模式的に示した図である。
【００６３】
図７に示すように通常の走査光１１ａが通過するときには、正の熱レンズフィルタ３１ａにより走査光１１ａの波面３３は収束作用を受け、負の熱レンズフィルタ３１ｂにより発散作用を受ける。すなわち、正の熱レンズフィルタ３１ａで生じた熱レンズ効果に起因するわずかな屈折率の分布の変化を、その後ろの負の熱レンズフィルタ３１ｂの材料や設計を選択することにより補正して相殺してスクリーン１４に走査光１１ａを走査することができる。
【００６４】
一方、走査部１３が停止しレーザ光１１の光路が固定されたときには、レーザ光１１は正の熱レンズフィルタ３１ａの熱レンズ効果により十分にビームが拡散されて負の熱レンズフィルタ３１ｂに到達するので、熱レンズ効果が光学的に補正されてスクリーン１４上にビームが集光されることはない。むしろ、上述したように負の熱レンズフィルタ３１ｂにおいても熱レンズ効果によりビームの光強度が強い位置３２ｂの光をさらに拡散してスクリーン１４に照射することになる。なお、熱レンズ効果で発生する屈折率の分布は、光学系ごとに変化する特殊なものであるので、通常の球面レンズなどでは光学的に補正が十分でなく、同じ熱レンズ効果を有する正の熱レンズフィルタ３１ａおよび負の熱レンズフィルタ３１ｂを用いて光学的に十分に補正しなければならない。
【００６５】
ここで、正の熱レンズフィルタ３１ａには、温度が上がると屈折率が増加して、光を収束する熱レンズ効果をもつ材料、例えば石英（ＳｉＯ２）、セレン化亜鉛（ＺｎＳｅ）、硫化亜鉛（ＺｎＳ）、ガリウム砒素（ＧａＡｓ）およびゲルマニウム（Ｇｅ）を用いることができる。また、負の熱レンズフィルタ３１ｂには、温度が上がると屈折率が低下して、光を発散する熱レンズ効果をもつ材料、例えば弗化カルシウム（ＣａＦ２）、塩化カリウム（ＫＣｌ）、臭化カリウム（ＫＢｒ）、塩化ナトリウム（ＮａＣｌ）および弗化バリウム（ＢａＦ２）などを用いることができる。
【００６６】
図８は本発明の実施の形態２にかかる他の画像表示装置４０の概略構成を示す図である。図８に示す画像表示装置４０は、図５の画像表示装置３０と異なり熱レンズフィルタ部４１が正の熱レンズフィルタと負の熱レンズフィルタとの１組の熱レンズフィルタを複数組含んで構成されているところである。
【００６７】
すなわち、図８では熱レンズフィルタ部４１は、正の熱レンズフィルタ４１ａと負の熱レンズフィルタ４１ｂとの１組の熱レンズフィルタを２組含んで構成されている。
【００６８】
このような構成とすることにより、レーザ光１１の走査が停止しレーザ光１１の光路が固定されたときに、熱レンズフィルタ部４１においてレーザ光１１を発散させる効果の大きい熱レンズフィルタ４１ａ、４１ｂを使用することができる。このことにより、光学システムや人体をさらに安全に保護することができる。
【００６９】
（実施の形態３）
図９は本発明の実施の形態３にかかる画像表示装置５０の概略構成を示す図で、（ａ）はレーザ光を走査して画像を表示しているときの動作を示す構成図、（ｂ）はレーザ光の走査が停止したときの動作を示す構成図である。図９に示す画像表示装置５０は、実施の形態１の画像表示装置１０と異なるところは、熱レンズフィルタ部に代えて反射ミラー５１が配置されているところである。
【００７０】
すなわち、図９に示す画像表示装置５０は、レーザ光１１を出射するレーザ光源１２と、レーザ光１１を走査する走査部１３と、走査部１３により走査光１１ａが照射されるスクリーン１４と、走査部１３とスクリーン１４との間に配置された反射ミラー５１と、を備えた構成からなっている。
【００７１】
さらに、反射ミラー５１は、走査光１１ａが反射するミラー面５１ａに反射膜（図示せず）が形成され、反射膜は、その一部にレーザ光１１が連続して所定の光量を超えて照射されると破壊するように膜の設計および材料が選択されている。
【００７２】
また、反射ミラー５１は、走査光１１ａが反射するミラー面５１ａに熱レンズ層（図示せず）が形成されている構成としてもよく、例えば実施の形態１および２で説明した熱レンズフィルタ部１５などと同じ熱レンズ効果を有する材料で成膜されている。
【００７３】
このような構成とすることにより、Ｗ級のレーザ光１１を走査光１１ａとして用いる場合に走査光１１ａの光路が何らかの原因で固定されても反射ミラー５１のレーザ光１１を照射している部分が破壊する、あるいはその部分の屈折率が熱レンズ効果により変化する。したがって、レーザ光１１は反射ミラー５１により発散光５１ｂとなり散乱する。
【００７４】
このことにより、レーザ光１１の光路が固定されたとしてもスクリーン１４上の１点にレーザ光１１が集中することがないのでスクリーン１４などを損傷することがなく、光学システムを光学的に瞬時に保護することができる。また、同様にレーザ光１１の光路が固定されてもレーザ光１１は散乱されるので、その反射光である発散光５１ｂの一部が人の眼に入るなど人体にダメージが与えられることを光学的に瞬時に回避することができる。しかも、レーザ光１１が走査光１１ａとして正常に動作するときには、走査光１１ａは反射ミラー５１を順次走査して反射していくので反射ミラー５１により発散されずに透過し、スクリーン１４上に画像を表示することができる。
【００７５】
（実施の形態４）
図１０は本発明の実施の形態４にかかる画像表示装置６０の概略構成を示す図である。図１０に示す画像表示装置６０は、実施の形態１の画像表示装置１０と異なるところは、熱レンズフィルタ部１５を挟んで配置された集光レンズ６１およびコリメータレンズ６２を備えて構成されているところである。
【００７６】
図１０に示すように画像表示装置６０は、図１（ａ）の画像表示装置１０の熱レンズフィルタ部１５の前に、レーザ光１１を集光する集光レンズ６１をさらに備えている。
【００７７】
このような構成とすることにより、熱レンズフィルタ部１５に入射するビームのビーム径（図示せず）を縮小し、単位体積あたりの光密度を高めて熱レンズ効果を増大させることができる。このことにより、走査光１１ａが低パワーの場合、あるいはレーザ光１１を吸収する熱レンズフィルタ部１５の光吸収率が低い場合でも、レーザ光１１の走査が停止したときに十分なビーム発散効果を得ることができる。したがって、熱レンズ効果などのレーザ光１１の発散効果を増大することができるので、光学システムや人体をさらに安全に保護することができる。
【００７８】
また、熱レンズフィルタ部１５の後に、熱レンズフィルタ部１５または反射ミラーから拡がって出射されるレーザ光１１をコリメートするコリメータレンズ６２をさらに備えている。このような構成とすることにより、熱レンズフィルタ部１５のレーザ光１１を平行光戻して、スクリーン１４などに画像表示を高輝度に行うことができる。
【００７９】
図１１は、熱レンズフィルタ部１５を挟んで集光レンズ６１とコリメータレンズ６２とが配置された光学構成を示す図である。走査光１１ａは平行光のレーザビームとして集光レンズ６１に入射し、集光レンズ６１によりそのビーム径は熱レンズフィルタ部１５の位置６３において十分に絞られている。このようにすることにより、レーザビームの光路が固定されたときの熱レンズフィルタ部１５の位置６３において熱レンズ効果を十分に高めている。
【００８０】
さらに熱レンズフィルタ１５ａから出射された走査光１１ａはスクリーン（図示せず）上に高輝度の鮮明な画像を表示するために再びコリメータレンズ６２により平行な走査光１１ｄに変換されている。ただし、走査光１１ａは熱レンズフィルタ部１５の特定の位置に固定されることがないので熱レンズ効果の影響をほとんど受けていない。
【００８１】
ところで、走査部（図示せず）が停止し、レーザビームが固定されたときには熱レンズフィルタ部１５の特定の位置に固定されるので熱レンズ効果が増大して、レーザビームは大きく発散される発散光６４として出射される。このときには、図１１に示すようにコリメータレンズ６２により発散光６４の一部がやや絞られるものの全体としては発散されていくので実施の形態１から３までと同様にスクリーンなどを損傷することがなく、光学システムを光学的に瞬時に保護することができる。また、同様にレーザ光の一部が人の眼に入るなど人体にダメージが与えられることを光学的に瞬時に回避することができる。
【００８２】
なお、本実施の形態４において熱レンズフィルタ部に代えて実施の形態３に示した反射ミラーを用い、上述した内容と同様に反射ミラーを挟んで集光レンズおよびコリメータレンズを配置することにより同じ効果が得られる。
【００８３】
（実施の形態５）
図１２（ａ）および（ｂ）は実施の形態１から４のレーザ光源１２にＲＧＢ光源を使用したレーザ光源１２の構成例を示す図で、図１３および図１４は、図１２（ａ）または図１２（ｂ）に示したレーザ光源１２を使用した実施の形態５にかかる画像表示装置７０、８０の概略構成を示す図である。
【００８４】
図１２（ａ）に示すように本実施の形態５にかかるレーザ光源１２は、少なくとも赤色レーザ光源１２ｒ、緑色レーザ光源１２ｇおよび青色レーザ光源１２ｂからなるＲＧＢ光源である。具体的には、赤色レーザ光源１２ｒおよび青色レーザ光源１２ｂには、例えば波長６４０ｎｍおよび波長４４５ｎｍの赤色レーザ光７１ｒおよび青色レーザ光７１ｂを出射する高出力半導体レーザを用い、緑色レーザ光源１２ｇには波長５３２ｎｍの緑色レーザ光７１ｇを出射する半導体レーザ励起の高出力ＳＨＧレーザを用いている。このように波長純度の高いレーザ光７１ｒ、７１ｇ、７１ｂを光源に使用して、例えば図１２（ａ）に示すようにダイクロイックミラー７１によりレーザ光１１として１本にまとめている。このような構成とすることにより、後述するように色再現性に優れた高輝度で低消費電力の画像表示装置７０、８０が実現できる。
【００８５】
また、レーザ光源１２は、図１２（ａ）の構成に加えてさらに紫外レーザ光を出射する紫外レーザ光源または赤外レーザ光を出射する赤外レーザ光源を少なくとも備えた構成としてもよい。図１２（ｂ）は赤外レーザ光７１ｉｒを出射する赤外レーザ光源１２ｉｒを図１２（ａ）の構成にさらに加えた例を示す。図１２（ｂ）に示すように赤外レーザ光７１ｉｒもダイクロイックミラー７１により他のレーザ光１２ｒ、１２ｇ、１２ｂとともにレーザ光１１として１本にまとめられている。なお、赤外レーザ光源１２ｉｒおよび紫外レーザ光源（図示せず）には、例えばＡｌＧａＡｓ系半導体レーザおよびＧａＡｌＮ系半導体レーザなどが用いられている。
【００８６】
図１３および図１４は、例えば上述した図１２（ａ）および（ｂ）のレーザ光源１２を用いた画像表示装置７０、８０の概略構成を示す図である。
【００８７】
図１３はＲＧＢ光源を用いているので熱レンズフィルタ部７５を構成する熱レンズフィルタ７５ａは、少なくとも赤色、緑色および青色のうち少なくとも１色のレーザ光を吸収する材料や構造などから構成されていればよい。
【００８８】
このような構成とすることにより、走査光１１ａの光路が固定されたときには少なくとも１色のレーザ光を吸収して熱レンズ効果を発揮して固定された走査光１１ａを拡げて散乱することにより、実施の形態１から４と同様に光学システムを光学的に瞬時に保護することができ、人体にダメージが与えられることを光学的に瞬時に回避することができる。さらにレーザ光源１２がＲＧＢ光源から構成されているので、色再現範囲が広く高輝度で低消費電力の画像表示装置７０を実現することができる。加えて、レーザ光１１を平行光にして走査すると焦点制御の不要な焦点フリーのプロジェクタとなる画像表示装置７０を実現することができる。
【００８９】
図１４は図１３の構成に加えて第４のレーザ光として赤外レーザ光７１ｉｒを追加した例である。図１４の画像表示装置８０の熱レンズフィルタ部８５を構成する熱レンズフィルタ８５ａは、赤外レーザ光７１ｉｒを吸収する材料や構造などから構成されていればよい。したがって、ＲＧＢ光などの可視光を吸収する吸収率の低い材料や構造でも赤外レーザ光７１ｉｒや紫外レーザ光を用いることにより熱レンズフィルタとして使用することができ、熱レンズフィルタの材料や構造などを選択する範囲が広がり熱レンズフィルタを製作しやすくなる。ただし、熱レンズフィルタに入射する紫外光レーザまたは、赤外光レーザの出力の４０％以上が熱レンズフィルタ内で吸収されることが望ましく、紫外光レーザまたは、赤外光レーザの熱レンズフィルタ上でのビーム径は２ｍｍ以下が望ましい。これによって、半導体レーザ１つの出力で、レーザ走査ミラー停止時に十分なレーザ散乱効果が得られる。
【００９０】
このような構成とすることにより、走査光１１ａの光路が固定されたときには赤外レーザ光７１ｉｒを吸収して熱レンズ効果を発揮して固定された走査光１１ａを拡げて散乱することにより、実施の形態１から４と同様に光学システムを光学的に瞬時に保護することができ、人体にダメージが与えられることを光学的に瞬時に回避することができる。さらにレーザ光源１２がＲＧＢ光源から構成されているので、色再現範囲が広く高輝度で低消費電力の画像表示装置８０を実現することができる。加えて、レーザ光１１を平行光にして走査すると焦点制御の不要な焦点フリーのプロジェクタとなる画像表示装置８０を実現することができる。
【００９１】
また、熱レンズフィルタにＲＧＢ光などの可視光を吸収させないので、画像表示装置８０において、通常の動作でＲＧＢ画像を表示するときにＲＧＢ光の利用効率を上げることができる。したがって、さらに高輝度で低消費電力の画像表示装置８０を実現することができる。
【００９２】
なお、本実施の形態５において熱レンズフィルタ部に代えて実施の形態３に示した反射ミラーを用い、ミラー面や反射膜の材料や構造に上述した内容と同様の工夫をすることにより同じ効果が得られる。
【００９３】
（実施の形態６）
図１５は本発明の実施の形態６にかかる画像表示装置９０の概略構成を示す図である。
【００９４】
図１５に示すように画像表示装置９０が、図１（ａ）の画像表示装置１０と異なる部分は、画像表示装置１０における熱レンズフィルタ１５ａを含む熱レンズフィルタ部１５の代わりにフォトリフラクティブフィルタ部９１（フォトリフラクティブフィルタ９１ａを含む）を備えていることである。
【００９５】
ここで、フォトリフラクティブフィルタとは、レーザ光１１に対してフォトリフラクティブ効果を示す。
【００９６】
フォトリフラクティブ効果により、レーザ光１１の光強度分布に応じて屈折率分布が発生するため、図１５ｂに示すように、熱レンズフィルタ１５ａと同様に、レーザ光１１を散乱させる効果を有する。
【００９７】
例えば、ＬｉＮｂＯ３結晶のような強誘電体は、可視から紫外領域の光に対してフォトリフラクティブ効果を発現し、非常に大きな屈折率変化を発生させ、ＦｅやＭｎイオンを添加することにより、より高速なフォトリフラクティブ効果を発現する。また、ＧａＡｓ、ＧａＰ、ＧａＮ、ＩｎＰのような化合物半導体やＢｉ１２ＳｉＯ２０（ＢＳＯ）、Ｂｉ１２ＴｉＯ２０（ＢＴＯ）などのシレナイト系結晶も可視光に対してフォトリフラクティブ効果をもつ材料であり、ＬｉＮｂＯ３結晶に比べて発生する屈折率変化量は小さいが、応答速度がｍｓからμｓオーダーと非常に早い。更に、ＰＶＫ：ＴＮＦ：ＤＭＮＰＡＡ：ＢｉｓＣｚＰＲ系などの有機材料は安易で容易に作製できる材料であり、屈折率変化量が大きく、屈折率変化にかかる応答速度もｍｓオーダーと非常に速い。
【００９８】
フォトリフラクティブフィルタとして、応答速度がｍｓ以上の材料を用いることで、レーザ走査時に画像の鮮明さが失われず、レーザ走査停止時に危険を防止することが可能となる。
【００９９】
図１５では、実施の形態１に示す画像表示装置１０の熱レンズフィルタ部１５の代わりにフォトリフラクティブフィルタ部９１を用いた画像表示装置９０について示したが、実施の形態２から５に示す画像表示装置の各熱レンズフィルタ部の代わりにフォトリフラクティブフィルタ部を用いることが可能であることは言うまでもない。
【０１００】
フォトリフラクティブ効果による屈折率変化量は、入射光の出力ではなく、コントラストに依存するため、レーザ光１１の出力が低い小型の画像表示装置などに用いる場合にも、大きな散乱効果を発生させることが可能となる。
【産業上の利用可能性】
【０１０１】
本発明の画像表示装置は、光学システムを光学的に瞬時に保護することができ、人体にダメージが与えられることを光学的に瞬時に回避することができるもので、かつ色再現範囲が広く高輝度で低消費電力であるので、大型ディスプレイや高輝度ディスプレイ等を含むディスプレイ装置全般に適用することができ有用である。
【図面の簡単な説明】
【０１０２】
【図１】本発明の実施の形態１にかかる画像表示装置の概略構成を示す図で、（ａ）はレーザ光を走査して画像を表示しているときの動作を示す構成図、（ｂ）はレーザ光の走査が停止したときの動作を示す構成図
【図２】（ａ）は、本発明の実施の形態１にかかる画像表示装置の光学構成の模式図、（ｂ）は熱レンズフィルタの屈折率の分布を示す図
【図３】（ａ）は、本発明の実施の形態１にかかる画像表示装置の光学構成の模式図、（ｂ）は熱レンズフィルタの屈折率の分布を示す図
【図４】本発明の実施の形態１にかかる他の画像表示装置の概略構成を示す図
【図５】本発明の実施の形態２にかかる画像表示装置の概略構成を示す図
【図６】熱レンズフィルタでの長さに対する温度や屈折率の分布を表す図で、（ａ）は、温度の分布を表す図、（ｂ）は正の熱レンズフィルタでの屈折率の分布を表す図、（ｃ）は負の熱レンズフィルタでの屈折率の分布を表す図
【図７】走査光が１組の熱レンズフィルタを通過するときの波面の変化を模式的に示した図
【図８】本発明の実施の形態２にかかる他の画像表示装置の概略構成を示す図
【図９】本発明の実施の形態３にかかる画像表示装置の概略構成を示す図で、（ａ）はレーザ光を走査して画像を表示しているときの動作を示す構成図、（ｂ）はレーザ光の走査が停止したときの動作を示す構成図
【図１０】本発明の実施の形態４にかかる画像表示装置の概略構成を示す図
【図１１】熱レンズフィルタ部を挟んで集光レンズとコリメータレンズとが配置された光学構成を示す図
【図１２】（ａ）および（ｂ）は、本発明の実施の形態５にかかるレーザ光源の構成例を示す図
【図１３】本発明の実施の形態５にかかる画像表示装置の概略構成を示す図
【図１４】本発明の実施の形態５にかかる画像表示装置の概略構成を示す図
【図１５】本発明の実施の形態６にかかる画像表示装置の概略構成を示す図
【符号の説明】
【０１０３】
１０，２０，３０，４０，５０，６０，７０，８０，９０    画像表示装置
１１，１１ｂ    レーザ光
１１ａ，１１ｄ    走査光
１１ｃ    散乱光
１２    レーザ光源
１２ｒ    赤色レーザ光源
１２ｇ    緑色レーザ光源
１２ｂ    青色レーザ光源
１２ｉｒ    赤外レーザ光源
１３    走査部
１４    スクリーン
１４ａ，１４ｃ    矢印
１４ｂ    領域
１４ｄ，１５ｂ，３２，３２ａ，３２ｂ，６３    位置
１５，３１，４１，７５，８５    熱レンズフィルタ部
１５ａ，３１ａ，３１ｂ，４１ａ，４１ｂ，７５ａ，８５ａ    熱レンズフィルタ
１６    制御部
１６ａ    配線
２１    ポリゴンミラー
２２    スキャンミラー
３１ａ，４１ａ    正の熱レンズフィルタ
３１ｂ，４１ｂ    負の熱レンズフィルタ
３３    波面
５１    反射ミラー
５１ａ    ミラー面
５１ｂ，６４    発散光
６１    集光レンズ
６２    コリメータレンズ
７１    ダイクロイックミラー
７１ｒ    赤色レーザ光
７１ｇ    緑色レーザ光
７１ｂ    青色レーザ光
７１ｉｒ    赤外レーザ光
９１    フォトリフラクティブフィルタ部
９１ａ    フォトリフラクティブフィルタ
【図１】
2010107545.tif 000003
【図２】
2010107545.tif 000004
【図３】
2010107545.tif 000005
【図４】
2010107545.tif 000006
【図５】
2010107545.tif 000007
【図６】
2010107545.tif 000008
【図７】
2010107545.tif 000009
【図８】
2010107545.tif 000010
【図９】
2010107545.tif 000011
【図１０】
2010107545.tif 000012
【図１１】
2010107545.tif 000013
【図１２】
2010107545.tif 000014
【図１３】
2010107545.tif 000015
【図１４】
2010107545.tif 000016
【図１５】
2010107545.tif 000017